(57)【要約】【課題】排気又は吸気機能を備えた空気調和装置の設置を容易に行うこと。【解決手段】建造物の壁面に２つの貫通穴を設け、一方の貫通穴を室内ユニットと室外ユニットとを接続する接続配管の施工に用い、他方の貫通穴を室内側空気を排気する排気通路又は室外側空気を吸気する吸気通路の施工に用いることを特徴とする空気調和装置における室内ユニットの設置方法。【選択図】        図１
2005164240.tif 000002
【特許請求の範囲】
【請求項１】
壁面に設けた２つの貫通穴を用いて設置される空気調和装置における室内ユニットであって、室内熱交換器を本体内部に有し、室内側空気の排気に用いる排気口を本体裏面の下部に設けたことを特徴とする空気調和装置における室内ユニット。
【請求項２】
室外ユニットと接続する接続配管を本体裏面の上部に設けたことを特徴とする請求項１に記載の空気調和装置における室内ユニット。
【請求項３】
前記排気口を前記室内熱交換器の左右いずれかの端部に近接させて設けたことを特徴とする請求項１に記載の空気調和装置における室内ユニット。
【請求項４】
送風ファンを本体内部に有し、前記送風ファンを用いて室内側空気の排気を行うことを特徴とする請求項１に記載の空気調和装置における室内ユニット。
【請求項５】
前記送風ファンを室内ユニットの外部に設けたことを特徴とする請求項４に記載の空気調和装置における室内ユニット。
【請求項６】
前記送風ファンを前記壁面の室外側に設けたことを特徴とする請求項５に記載の空気調和装置における室内ユニット。
【請求項７】
プロパンやイソブタン等のＨＣ系冷媒を用いる空気調和装置であって、前記接続配管として、フレキシブルパイプ又は樹脂製パイプを用いることを特徴とする請求項１に記載の空気調和装置における室内ユニット。
【発明の詳細な説明】
【技術分野】
【０００１】
本発明は、空気調和装置における室内ユニットに関する。
【背景技術】
【０００２】
空気調和装置に換気機能を付加することは、従来から提案されてきた（例えば特許文献１、特許文献２）。
例えば、特許文献２では、室内外の接続配管と換気用風路を同一のスリーブ内に設置することで、壁孔を一つとすることが提案されている。
【特許文献１】特開平８−２８５３２７号公報
【特許文献２】特開平６−３００３１２号公報
【発明の開示】
【発明が解決しようとする課題】
【０００３】
しかし、特許文献２で提案されているような方法では、壁孔を大きくしなければならないとともに、設置施工性が悪いという課題を有している。
また、近年空気調和装置に用いる冷媒として、プロパンやイソブタンなどのＨＣ系冷媒を用いることが検討されている。しかし、ＨＣ系冷媒は、可燃性であるため、冷媒漏洩時に、漏洩冷媒が密閉空間である室内に滞留することを防止することが必要である。従って、冷媒漏洩時の漏洩冷媒を、室外へ排気するための換気機能を設けることが重要である。
【０００４】
そこで本発明は、排気又は吸気機能を備えた空気調和装置の設置を容易に行うことを目的とする。
また本発明は、施工時の作業性がよい空気調和装置における室内ユニットの設置方法を提供することを目的とする。
また本発明は、十分な排気又は吸気機能を備えるとともに、設置時の施工性の高い空気調和装置を提供することを目的とする。
また本発明は、漏洩冷媒を室外に排気しやすい空気調和装置における室内ユニットを提供することを目的とする。
【課題を解決するための手段】
【０００５】
請求項１記載の本発明の空気調和装置における室内ユニットは、壁面に設けた２つの貫通穴を用いて設置される空気調和装置における室内ユニットであって、室内熱交換器を本体内部に有し、室内側空気の排気に用いる排気口を本体裏面の下部に設けたことを特徴とする。
請求項２記載の本発明は、請求項１に記載の空気調和装置における室内ユニットにおいて、室外ユニットと接続する接続配管を本体裏面の上部に設けたことを特徴とする。
請求項３記載の本発明は、請求項１に記載の空気調和装置における室内ユニットにおいて、前記排気口を前記室内熱交換器の左右いずれかの端部に近接させて設けたことを特徴とする。
請求項４記載の本発明は、請求項１に記載の空気調和装置における室内ユニットにおいて、送風ファンを本体内部に有し、前記送風ファンを用いて室内側空気の排気を行うことを特徴とする。
請求項５記載の本発明は、請求項４に記載の空気調和装置における室内ユニットにおいて、前記送風ファンを室内ユニットの外部に設けたことを特徴とする。
請求項６記載の本発明は、請求項５に記載の空気調和装置における室内ユニットにおいて、前記送風ファンを前記壁面の室外側に設けたことを特徴とする。
請求項７記載の本発明は、請求項１に記載の空気調和装置における室内ユニットにおいて、プロパンやイソブタン等のＨＣ系冷媒を用いる空気調和装置であって、前記接続配管として、フレキシブルパイプ又は樹脂製パイプを用いることを特徴とする。
【発明の効果】
【０００６】
本発明によれば、排気又は吸気機能を備えた空気調和装置の設置を容易に行うことができる。
また本発明によれば、施工時の作業性がよい空気調和装置における室内ユニットの設置方法を提供することができる。
また本発明によれば、十分な排気又は吸気機能を備えるとともに、設置時の施工性の高い空気調和装置を提供することができる。
また本発明によれば、漏洩冷媒を室外に排気しやすい空気調和装置における室内ユニットを提供することができる。
【発明を実施するための最良の形態】
【０００７】
本発明の第１の実施の形態による空気調和装置における室内ユニットは、排気口を本体裏面の下部に設けたものである。本実施の形態によれば、排気口を下部に位置させることで、例えば冷媒としてプロパンなどの空気よりも比重の大きな可燃性冷媒を用いた場合に、漏洩冷媒を室外に排気しやすい。
本発明の第２の実施の形態は、第１の実施の形態による空気調和装置における室内ユニットにおいて、接続配管を本体裏面の上部に設けたものである。本実施の形態によれば、接続配管を上部に位置させることで、例えば冷媒としてプロパンなどの空気よりも比重の大きな可燃性冷媒を用いた場合に、漏洩冷媒を室外に排気しやすい。
本発明の第３の実施の形態は、第１の実施の形態による空気調和装置における室内ユニットにおいて、排気口を室内熱交換器の左右いずれかの端部に近接させて設けたものである。本実施の形態によれば、排気口を室内熱交換器の左右いずれかの端部に近接させて設けることで、一般に配管の溶接箇所が多く、冷媒漏洩の発生する可能性の高い場所からの排気を行いやすく、漏洩冷媒を室外に排気しやすい。
本発明の第４の実施の形態は、第１の実施の形態による空気調和装置における室内ユニットにおいて、送風ファンを用いて室内側空気の排気を行うものである。本実施の形態によれば、排気を送風ファンを用いて行うため、例えば冷媒としてプロパンなどの空気よりも比重の大きな可燃性冷媒を用いた場合であっても、漏洩冷媒を室外に排気しやすい。
本発明の第５の実施の形態は、第４の実施の形態による空気調和装置における室内ユニットにおいて、送風ファンを室内ユニットの外部に設けたものである。本実施の形態によれば、送風ファンを室内ユニットの外部に設けるため、室内ユニットを従来通りの大きさに押さえることができる。
本発明の第６の実施の形態は、第５の実施の形態による空気調和装置における室内ユニットにおいて、送風ファンを壁面の室外側に設けたものである。本実施の形態によれば、送風能力の高い大きな送風ファンを用いることも容易にできる。
本発明の第７の実施の形態は、第１の実施の形態による空気調和装置における室内ユニットにおいて、空気調和装置に用いる冷媒として、プロパンやイソブタン等のＨＣ系冷媒を用い、接続配管として、フレキシブルパイプ又は樹脂製パイプを用いるものである。本実施の形態によれば、ＨＣ系冷媒を用いることで、従来のＲ２２のような冷媒を用いる場合と比較して、接続配管の配管径をガス側配管で７５〜８０％、液側配管で１５〜５８％の径とすることができる。このように配管径を小さくできるために、接続配管に必要な強度を低下することができる。従って、フレキシブルパイプや樹脂製パイプを用いることが可能となり、このようなパイプを接続配管として用いることで、設置時の施工性を高めることができる。
【実施例】
【０００８】
以下、本発明の一実施例について図面に基づいて説明する。
図１は、本発明の一実施例を示す空気調和装置における室内ユニットの設置方法を説明するための構成図である。
まず、空気調和装置の全体構成について説明する。
空気調和装置は、室内ユニット１０と室外ユニット２０とより構成され、室内ユニット１０と室外ユニット２０とは接続配管３０によって接続される。室内ユニット１０は、建造物の室内側の壁面４０に設置され、室外ユニット２０は、建造物の屋外に設置される。
室内ユニット１０の内部には、室内熱交換器１１、送風ファン１２、モータ１３、電源制御部１４等を有している。ここで室内熱交換器１１は、冷房運転時には蒸発器として機能し、暖房運転時には凝縮器として機能する利用側の熱交換器である。送風ファン１２は、室内熱交換器１１で熱交換した空気を室内に吹き出し、又は室外空気を吸入して室内に吹き出すものである。この送風ファン１２はモータ１３によって駆動される。電源制御部１４は、モータ１３や室外ユニット２０内に有する圧縮機、室外ファン、四方弁等を制御するものである。室外ユニット２０の内部には、室外熱交換器や減圧装置等を有している。接続配管３０は、液側配管とガス側配管とより構成されている。
また、本実施例による空気調和装置は吸排気機能を備えている。ファン５０は、この吸排気機能を行うためのものであり、壁面４０の室外側に設置される。なお、ファン５０は、必ずしも吸排気の両機能を備えている必要はなく、吸気機能又は排気機能のいずれかを備えたものでもよい。また、ファン５０は、貫通穴４２内に設けることで、屋外側の美観を損ねることがなく、また雨水の進入防止を図りやすい。また、ファン５０を室内側、特に室内ユニット１０内に設けるものであってもよい。なお、ファン５０を設けることなく、送風ファン１２によってファン５０の機能を果たしてもよい。
【０００９】
次に、本実施例による空気調和装置の設置方法について説明する。
空気調和装置の設置にあたって、壁面４０には、２つの貫通穴４１，４２が設けられる。また、これらの貫通穴４１，４２には、それぞれ筒状部材６０が挿入される。
本実施例の室内ユニット１０の設置方法では、一方の貫通穴４１は室内ユニット１０と室外ユニット２０とを接続する接続配管３０の施工に用い、他方の貫通穴４２は室内側空気を排気する排気通路及び室外側空気を吸気する吸気通路の施工に用いる。
本実施例のように、接続配管３０の施工用の貫通穴４１とは別の貫通穴４２を排気通路や吸気通路として用いることで、排気又は吸気機能を備えた空気調和装置の設置を容易に行うことができる。特に、接続配管３０用の貫通穴４１とは別に貫通穴４２を設けることで、貫通穴４１，４２を大きな口径とする必要がなく、十分な排気又は吸気能力を持たせることができる。また、このように大きな口径の貫通穴４１，４２を必要としないことから、従来の工具を用いることができるとともに、限られた壁面スペースでも空気調和装置の設置を可能とすることができ、また壁面の強度等を考慮する必要も生じない。
【００１０】
図２は、本発明の他の実施例を示す空気調和装置における室内ユニットの設置方法を説明するための構成図である。上記実施例と同一機能を有する部材には同一符号を付けて説明を省略する。なお、下記それぞれの実施例においても同一機能を有する部材には同一符号を付けて説明を省略する。
本実施例の室内ユニット１０の設置方法では、一方の貫通穴４１を接続配管３０と吸気通路との施工に用い、他方の貫通穴４２を排気通路の施工に用いる点で上記の実施例と異なっている。
特に本実施例によれば、接続配管３０用の貫通穴４１とは別に排気通路用の貫通穴４２を設けることで、貫通穴４１，４２を大きな口径とする必要がなく、特に十分な排気能力を持たせることが可能となる。また本実施例によれば、一つの貫通穴４２を排気通路専用に用いるために、排気通路の設置場所の自由度が増し、排気効率の高い位置に設けることが可能となる。
なお、ファン５０は、貫通穴４２内に設けることで、屋外側の美観を損ねることがなく、また雨水の進入防止を図りやすい。また、ファン５０を室内側、特に室内ユニット１０内に設けるものであってもよい。なお、ファン５０を設けることなく、送風ファン１２によってファン５０の機能を果たしてもよい。
【００１１】
図３は、本発明の他の実施例を示す空気調和装置における室内ユニットの設置方法を説明するための構成図である。
本実施例の室内ユニット１０の設置方法では、一方の貫通穴４１を接続配管３０と排気通路との施工に用い、他方の貫通穴４２を吸気通路の施工に用いる点で上記の実施例と異なっている。
特に本実施例によれば、接続配管３０と排気通路とを同じ貫通穴４１に設けることで、冷媒漏洩の可能性の高い配管部分の排気を行いやすくすることができる。
なお、ファン５０は、室内側、特に室内ユニット１０内に設けるものであってもよい。また、ファン５０を設けることなく、送風ファン１２によってファン５０の機能を果たしてもよい。
また、本実施例では、吸気通路側には吸気用のファンを設けない場合で説明したが、排気通路側と同様なファンを設けることで、吸気機能を向上させることができる。なお、この場合のファンの設置場所は、壁面４０の室外側に設置する場合の他、貫通穴４２内に設けてもよい。また、ファンを室内側、特に室内ユニット１０内に設けるものであってもよい。
【００１２】
図４は、本発明の他の実施例を示す空気調和装置における室内ユニットの設置方法を説明するための構成図である。
本実施例の室内ユニット１０の設置方法では、一方の貫通穴４１を接続配管３０と排気通路との施工に用い、他方の貫通穴４２を吸気通路の施工に用いる点で図３に示す実施例と同じであるが、図３に示す実施例とは、貫通穴４２を設ける壁面４０が異なっている。すなわち、本実施例においては、貫通穴４２は、貫通穴４１を設ける壁面４０と隣接する壁面４０に設けている。
特に本実施例によれば、２つの貫通穴４１，４２を隣接する壁面４０に設けたことで、例えば室内ユニット１０を壁面４０の側部に片寄って設置する場合や、隣接する２つの壁面４０のコーナー部などに設置する場合には、接続配管３０や電気配線のその後の引き回しに応じて、いずれの壁面４０の貫通穴４１，４２をも使用することができるために、施工時における作業性がよく、排気又は吸気機能を備えた空気調和装置の設置を容易に行うことができる。
なお、ファン５０は、室内側、特に室内ユニット１０内に設けるものであってもよい。また、ファン５０を設けることなく、送風ファン１２によってファン５０の機能を果たしてもよい。
また、本実施例においても図３に示す実施例と同様に、吸気通路側には吸気用のファンを設けない場合で説明したが、排気通路側と同様なファンを設けることで、吸気機能を向上させることができる。なお、この場合のファンの設置場所は、壁面４０の室外側に設置する場合の他、貫通穴４２内に設けてもよい。また、ファンを室内側、特に室内ユニット１０内に設けるものであってもよい。
【００１３】
図５は、本発明の他の実施例を示す空気調和装置における室内ユニットの設置方法を説明するための構成図である。
なお、同図に示すように、室内ユニット１０には、室内空気を吸い込む吸込口１５、室内に熱交換した空気や室外側空気を吹き出す吹出口１６、吹き出し空気の方向を変更する変更羽根１７が設けられている。これら吸込口１５、吹出口１６、変更羽根１７は、図１から図４に示す実施例においても同様に備えている。
本実施例の室内ユニット１０の設置方法では、下方に設けた貫通穴４３を接続配管３０と排気通路との施工に用い、上方に設けた貫通穴４４を吸気通路の施工に用いる点で上記の実施例と異なっている。
特に本実施例によれば、接続配管３０と排気通路とを下方に設けた貫通穴４３に設けることで、例えば冷媒としてプロパンなどの空気よりも比重の大きな可燃性冷媒を用いた場合に、冷媒漏洩時に効率よく可燃性冷媒を室外に排気することができる。
なお、ファン５０は、室内側、特に室内ユニット１０内に設けるものであってもよい。また、ファン５０を設けることなく、送風ファン１２によってファン５０の機能を果たしてもよい。
また、本実施例では、吸気通路側には吸気用のファンを設けない場合で説明したが、排気通路側と同様なファンを設けることで、吸気機能を向上させることができる。なお、この場合のファンの設置場所は、壁面４０の室外側に設置する場合の他、貫通穴４４内に設けてもよい。また、ファンを室内側、特に室内ユニット１０内に設けるものであってもよい。
また、冷媒漏洩時に、吹出口１６を変更羽根１７等によって閉塞することで、室内への冷媒漏洩を少なくすることができる。また空気調和装置の運転停止時に、吹出口１６を変更羽根１７等によって閉塞することで、室内への冷媒漏洩をさらに有効に低減することができる。なお、この吹出口１６の閉塞については上記各実施例においても効果を有する。
【００１４】
図６は、本発明の他の実施例を示す空気調和装置における室内ユニットの設置方法を説明するための構成図である。
本実施例の室内ユニット１０の設置方法では、上方に設けた貫通穴４４を接続配管３０と吸気通路との施工に用い、下方に設けた貫通穴４３を排気通路の施工に用いる点で上記の実施例と異なっている。
特に本実施例によれば、下方に設けた一つの貫通穴４３を排気通路専用に用いるために、例えば冷媒としてプロパンなどの空気よりも比重の大きな可燃性冷媒を用いた場合に、排気効率の高い位置に設けることが可能となる。
なお、本実施例では、吸気通路にも排気通路にも、ファン５０を設けない場合で説明したが、排気通路又は吸気通路にファンを設けることで、吸気又は排気機能を向上させることができる。なお、この場合のファンの設置場所は、壁面４０の室外側に設置する場合の他、貫通穴４４内に設けてもよい。また、ファンを室内側、特に室内ユニット１０内に設けるものであってもよい。
また、冷媒漏洩時に、吹出口１６を変更羽根１７等によって閉塞することで、室内への冷媒漏洩を少なくすることができる。また空気調和装置の運転停止時に、吹出口１６を変更羽根１７等によって閉塞することで、室内への冷媒漏洩をさらに有効に低減することができる。なお、この吹出口１６の閉塞については上記各実施例においても効果を有する。
【００１５】
図７は、図１から図３に示す実施例に適した空気調和装置における室内ユニットの設置方法を説明するための構成図である。
本実施例は、壁面４０に貫通穴４１と貫通穴４２とを横方向に所定間隔あけて設けたものである。空気調和装置は、室内ユニット取付板７１によって壁面４０に設置される。この室内ユニット取付板７１は、上部に空気調和装置を吊り下げる係合部７１Ａを、下部両側に貫通穴４１，４２が配置される凹部７１Ｂ、７１Ｃを備えている。室内ユニット取付板７１は、ネジ等によって壁面４０に固定される。
本実施例によれば、２つの貫通穴４１，４２を横方向に所定間隔あけて設けたことで、室内ユニット１０の設置場所や、接続配管３０等のその後の引き回しに応じて、いずれの貫通穴４１，４２をも使用することができるために、施工時における作業性がよく、排気又は吸気機能を備えた空気調和装置の設置を容易に行うことができる。
なお、本実施例で説明した凹部７１Ｂ、７１Ｃに代えて、室内ユニット取付板７１に２つの円形穴を設けてもよい。なお円形穴を設ける場合には、この円形穴を貫通穴４１，４２よりも若干大きな形状とする。このように円形穴とすることで、貫通穴４１，４２を正確な位置に開口することができる。
【００１６】
図８は、図５又は図６に示す実施例に適した空気調和装置における室内ユニットの設置方法を説明するための構成図である。
本実施例は、壁面４０に貫通穴４３と貫通穴４４とを縦方向に所定間隔あけて設けたものである。空気調和装置は、室内ユニット取付板７２によって壁面４０に設置される。この室内ユニット取付板７２は、上部に空気調和装置を引っかける係合部７１Ａを、左右いずれかの側部の縦方向に貫通穴４３，４４が配置される凹部７２Ｂ、７２Ｃを備えている。室内ユニット取付板７２は、ネジ等によって壁面４０に固定される。
本実施例によれば、２つの貫通穴４３，４４を縦方向に所定間隔あけて設けたことで、例えば冷媒としてプロパンなどの空気よりも比重の大きな可燃性冷媒を用いた場合には、排気通路用に下方の貫通穴４３を利用することができる。
なお、本実施例で説明した凹部７２Ｂ、７２Ｃに代えて、室内ユニット取付板７２に２つの円形穴を設けてもよい。なお円形穴を設ける場合には、この円形穴を貫通穴４３，４４よりも若干大きな形状とする。このように円形穴とすることで、貫通穴４３，４４を正確な位置に開口することができる。
【００１７】
図９は、図１に示す実施例に適した空気調和装置の室内ユニットを説明するための構成図である。
本実施例は、室内ユニット１０Ａの背面下部の両側部に、室内側接続配管３０Ａと開口部１８Ａとを配設したものである。このとき開口部１８Ａは、排気口、又は吸排気口として機能するものである。
本実施例によれば、室内側接続配管３０Ａ及び排気口として機能する開口部１８Ａを下部に位置させることで、例えば冷媒としてプロパンなどの空気よりも比重の大きな可燃性冷媒を用いた場合に、漏洩冷媒を室外に排気しやすい。
なお、本実施例で説明した室内側接続配管３０Ａと開口部１８Ａとの位置は、左右逆であってもよい。
また、本実施例の室内ユニット１０Ａを設置する場合には、図７に示す室内ユニット取付板７１を用いることが好ましい。
【００１８】
図１０は、図２又は図３に示す実施例に適した空気調和装置の室内ユニットを説明するための構成図である。
本実施例の室内ユニット１０Ｂは、図９に示す実施例における室内ユニット１０Ａの室内側接続配管３０Ａ側の側部に、開口部１８Ｂを配設したものである。この開口部１８Ｂは、室内側接続配管３０Ａ用の穴の外周に同心円状に設けることが好ましい。このとき開口部１８Ａを排気口とする場合には開口部１８Ｂを吸気口とし、また開口部１８Ａを吸気口とする場合には開口部１８Ｂを排気口とする。
【００１９】
本実施例によれば、室内側接続配管３０Ａ及び排気口として機能する開口部１８Ａ又は開口部１８Ｂを下部に位置させることで、例えば冷媒としてプロパンなどの空気よりも比重の大きな可燃性冷媒を用いた場合に、漏洩冷媒を室外に排気しやすい。
なお、本実施例で説明した室内側接続配管３０Ａの位置は、右側部であってもよい。
また、本実施例の室内ユニット１０Ａを設置する場合には、図７に示す室内ユニット取付板７１を用いることが好ましい。
【００２０】
図１１は、図５又は図６に示すような上下方向に２つの貫通穴を設ける設置方法に適した空気調和装置の室内ユニットを説明するための構成図である。
本実施例は、室内ユニット１０Ｃの背面下部の両側部いずれかに、室内側接続配管３０Ｂと開口部１９Ａとを上下方向に配設したものである。このとき開口部１９Ａは、排気口、又は吸排気口として機能するものである。
【００２１】
本実施例によれば、接続配管３０Ｂを上部に、排気口として機能する開口部１９Ａを下部に位置させることで、例えば冷媒としてプロパンなどの空気よりも比重の大きな可燃性冷媒を用いた場合に、漏洩冷媒を室外に排気しやすい。
なお、本実施例で説明した室内側接続配管３０Ｂ及び開口部１９Ａの位置は、右側部であってもよい。
また、本実施例の室内ユニット１０Ｃを設置する場合には、図８に示す室内ユニット取付板７２を用いることが好ましい。
【００２２】
図１２は、図５に示す実施例の設置方法に適した空気調和装置の室内ユニットを説明するための構成図である。
本実施例の室内ユニット１０Ｄは、背面下部の両側部のいずれかに、室内側接続配管３０Ｂと開口部１９Ｂとを下部に、開口部１９Ａを上部に配設したものである。この開口部１９Ｂは、室内側接続配管３０Ｂ用の穴の外周に同心円状に設けることが好ましい。このとき開口部１９Ａは吸気口として機能し、開口部１９Ｂは排気口として機能するものである。
【００２３】
本実施例によれば、排気口を構成する開口部１９Ｂを下部に位置させることで、例えば冷媒としてプロパンなどの空気よりも比重の大きな可燃性冷媒を用いた場合に、漏洩冷媒を室外に排気しやすい。また、室内側接続配管３０Ｂと排気口を構成する開口部１９Ｂとを本体裏面の下部に設けることで、冷媒漏洩の可能性の高い配管部分の排気を行いやすくすることができる。
なお、本実施例で説明した室内側接続配管３０Ｂの位置は、右側部であってもよい。
また、本実施例の室内ユニット１０Ｄを設置する場合には、図８に示す室内ユニット取付板７２を用いることが好ましい。
【００２４】
図１３は、図６に示す実施例の設置方法に適した空気調和装置の室内ユニットを説明するための構成図である。
本実施例の室内ユニット１０Ｅは、背面下部の両側部のいずれかに、室内側接続配管３０Ｂと開口部１９Ｂとを上部に、開口部１９Ａを下部に配設したものである。この開口部１９Ｂは、室内側接続配管３０Ｂ用の穴の外周に同心円状に設けることが好ましい。このとき開口部１９Ａは排気口として機能し、開口部１９Ｂは吸気口として機能するものである。
【００２５】
本実施例によれば、排気口を構成する開口部１９Ａを下部に位置させることで、例えば冷媒としてプロパンなどの空気よりも比重の大きな可燃性冷媒を用いた場合に、漏洩冷媒を室外に排気しやすい。また、室内側接続配管３０Ｂと吸気口を構成する開口部１９Ｂとを本体裏面の上部に設けることで、一つの開口部１９Ａを排気口専用に用いるため、排気口の設置場所の自由度が増し、排気効率の高い位置に設けることが可能となる。
なお、本実施例で説明した室内側接続配管３０Ｂの位置は、右側部であってもよい。
また、本実施例の室内ユニット１０Ｅを設置する場合には、図８に示す室内ユニット取付板７２を用いることが好ましい。
【００２６】
図１１から図１３に示す実施例のように上部と下部にそれぞれ開口部を設ける場合、図１１の実施例における下部に設けた開口部１９Ａ、図１２の実施例における下部に設けた開口部１９Ｂ、図１３の実施例における下部に設けた開口部１９Ａは、排気口としての開口部とし、図１１の実施例における上部に設けた開口部１９Ｂ、図１２の実施例における上部に設けた開口部１９Ａ、図１３の実施例における上部に設けた開口部１９Ｂは、吸気口としての開口部として説明したが、排気口と吸気口とを入れ替えてもよい。このように構成したときには、例えば冷媒としてプロパンなどの空気よりも比重の大きな可燃性冷媒を用いる場合、室内ユニット内に有する送風ファン１２を運転することで冷媒漏洩時の漏洩冷媒の排気を行う。なお、送風ファン１２とは別に排気用の送風ファンを設けてもよく、上記実施例で説明したファン５０を用いてもよい。また、冷媒として空気よりも比重の小さな冷媒を用いる場合には、送風ファンを用いなくてもよい。
【００２７】
次に、上記実施例で説明した貫通穴に挿入して用いる筒状部材６０の実施例について図１４から図１６を用いて説明する。
図に示すように、筒状部材６１，６２，６３は、一端に鍔部６１Ａ、６２Ａ、６３Ａを有する本体６１Ｂ、６２Ｂ、６３Ｂと、本体６１Ｂ、６２Ｂ、６３Ｂの他端に挿嵌されるキャップ６１Ｃ、６２Ｃ、６３Ｃとから構成されている。このとき、キャップ６１Ｃ、６２Ｃ、６３Ｃの鍔部外径は、鍔部６１Ａ、６２Ａ、６３Ａの外径と同径であることが好ましい。本体６１Ｂ、６２Ｂ、６３Ｂは、中空の筒状体をしており、両端は開口している。
ここで、筒状部材６１は、本体６１Ｂの内径がＲ１、鍔部６１Ａ及びキャップ６１Ｃの外径がＳ１に構成されている。また、筒状部材６２は、本体６２Ｂの内径がＲ１、鍔部６２Ａ及びキャップ６２Ｃの外径がＳ２に構成されている。また、筒状部材６３は、本体６３Ｂの内径がＲ２、鍔部６３Ａ及びキャップ６３Ｃの外径がＳ１に構成されている。なお、Ｓ１とＳ２とは、Ｓ１＜Ｓ２の寸法関係にあり、Ｒ１とＲ２とは、Ｒ１＜Ｒ２の寸法関係にある。
壁面４０に設ける貫通穴の径が異なる場合には、筒状部材６１と筒状部材６２を用いて口径を調整することができる。このように、貫通穴に挿入する筒状部材６１，６２を用いて口径を調整することで、接続配管、排気通路、又は吸気通路などの施工対象に応じて、又はこれらの組み合わせに応じて、それぞれの口径を調整できるために施工での作業性がよく、排気又は吸気機能を備えた空気調和装置の設置を容易に行うことができる。
【００２８】
また、壁面４０に設ける貫通穴を同じ口径で開口し、筒状部材６１と筒状部材６３を用いて口径を調整することができる。このように、２つの貫通穴の口径を同じにすることで、開口のための作業性がよい。また、貫通穴に挿入する筒状部材６１，６３を用いて口径を調整することで、接続配管、排気通路、又は吸気通路などの施工対象に応じて、又はこれらの組み合わせに応じて、それぞれの口径を調整できるために施工での作業性がよく、排気又は吸気機能を備えた空気調和装置の設置を容易に行うことができる。
【００２９】
なお、上記実施例においては、接続配管３０や室内側接続配管３０Ａについての詳細な説明を省略したが、このような接続配管として、フレキシブルパイプ又は樹脂製パイプを用いてもよい。空気調和装置に用いる冷媒として、プロパンやイソブタン等のＨＣ系冷媒を用いることで、従来のＲ２２のような冷媒を用いる場合と比較して、接続配管の配管径をガス側配管で７５〜８０％、液側配管で１５〜５８％の径とすることができる。このように配管径を小さくできるために、接続配管に必要な強度を低下することができる。従って、フレキシブルパイプや樹脂製パイプを用いることが可能となり、このようなパイプを接続配管として用いることで、設置時の施工性を高めることができる。すなわち、フレキシブルパイプや樹脂製パイプを用いることで、ケーブル同様の取扱いができるために施工性が高い。また、電気線や信号線と一体的な扱いが可能であるため施工性がよい。また、長尺パイプとすることができるので、接続部を削減でき、漏洩防止を図ることもできる。なお、樹脂製パイプとしては、ガラスファイバーで強化した樹脂（ＧＦ／ＡＢＳ，ＧＦ／ＰＰ）を用いることができる。
【図面の簡単な説明】
【００３０】
【図１】本発明の一実施例を示す空気調和装置における室内ユニットの設置方法を説明するための構成図
【図２】本発明の他の実施例を示す空気調和装置における室内ユニットの設置方法を説明するための構成図
【図３】本発明の他の実施例を示す空気調和装置における室内ユニットの設置方法を説明するための構成図
【図４】本発明の他の実施例を示す空気調和装置における室内ユニットの設置方法を説明するための構成図
【図５】本発明の他の実施例を示す空気調和装置における室内ユニットの設置方法を説明するための構成図
【図６】本発明の他の実施例を示す空気調和装置における室内ユニットの設置方法を説明するための構成図
【図７】図１から図３に示す実施例に適した空気調和装置における室内ユニットの設置方法を説明するための構成図
【図８】図５から図６に示す実施例に適した空気調和装置における室内ユニットの設置方法を説明するための構成図
【図９】図１に示す実施例に適した空気調和装置の室内ユニットを説明するための構成図
【図１０】図２又は図３に示す実施例に適した空気調和装置の室内ユニットを説明するための構成図
【図１１】図５又は図６に示すような上下方向に２つの貫通穴を設ける設置方法に適した空気調和装置の室内ユニットを説明するための構成図
【図１２】図５に示す実施例の設置方法に適した空気調和装置の室内ユニットを説明するための構成図
【図１３】図６に示す実施例の設置方法に適した空気調和装置の室内ユニットを説明するための構成図
【図１４】本発明の実施例による空気調和装置の室内ユニットの設置方法に用いる筒状部材の構成を示す断面図
【図１５】本発明の実施例による空気調和装置の室内ユニットの設置方法に用いる筒状部材の構成を示す断面図
【図１６】本発明の実施例による空気調和装置の室内ユニットの設置方法に用いる筒状部材の構成を示す断面図
【符号の説明】
【００３１】
１０    室内ユニット
２０    室外ユニット
３０    接続配管
４０    壁面
４１    貫通穴
４２    貫通穴
４３    貫通穴
４４    貫通穴
６０    筒状部材
【図１】
2005164240.tif 000003
【図２】
2005164240.tif 000004
【図３】
2005164240.tif 000005
【図４】
2005164240.tif 000006
【図５】
2005164240.tif 000007
【図６】
2005164240.tif 000008
【図７】
2005164240.tif 000009
【図８】
2005164240.tif 000010
【図９】
2005164240.tif 000011
【図１０】
2005164240.tif 000012
【図１１】
2005164240.tif 000013
【図１２】
2005164240.tif 000014
【図１３】
2005164240.tif 000015
【図１４】
2005164240.tif 000016
【図１５】
2005164240.tif 000017
【図１６】
2005164240.tif 000018